(57)【要約】【課題】緩和部における切断及び振動の伝播を抑制することを目的とする。【解決手段】相手側端子と接続される端子接続部２０と、基板に固定される固定部３０と、前記端子接続部２０と前記固定部３０とを繋ぐ繋ぎ部４０とを備える基板接続用端子１０において、前記繋ぎ部４０は、少なくとも１周同じ方向に連続する曲面からなる緩和部５０を有する。【選択図】図２
2015204154.tif 000002
【特許請求の範囲】
【請求項１】
相手側端子と接続される端子接続部と、
基板に固定される固定部と、
前記端子接続部と前記固定部とを繋ぐ繋ぎ部とを備える基板接続用端子において、
前記繋ぎ部は、少なくとも１周同じ方向に連続する曲面からなる緩和部を有する基板接続用端子。
【請求項２】
前記緩和部が前記端子接続部と前記固定部とを結ぶ軸線からオフセットした位置から見て真円形状とされている請求項１に記載の基板接続用端子。
【請求項３】
前記繋ぎ部が等幅の板状である請求項１または請求項２に記載の基板接続用端子。
【請求項４】
前記緩和部の始点と終点が前記端子接続部と前記固定部とを結ぶ軸線からオフセットした位置から見たときに高さ方向で揃うようになっている請求項１から請求項３のいずれか１項に記載の基板接続用端子。
【発明の詳細な説明】
【技術分野】
【０００１】
本発明は、基板接続用端子に関する。
【背景技術】
【０００２】
従来より自動車などの車内配線において、回路基板に一方の端部がはんだ付けされて固定される端子が用いられている。このような端子においては、自動車の走行などに伴う振動がはんだ付け部分に伝わるのを防ぐための構造が知られている。例えば、特開平３−１１５６６号公報（特許文献１）には、プリント配線板への固定部が設けられ、この固定部において底板から支持部を介して連設される固定用可撓板の前端からＵ字状に後方に折り返して基端部に傾斜係合案内部を形成した湾曲弾性片を設け、この湾曲弾性片の自由端に半田付用突出部を連設した構成が開示されている。
【先行技術文献】
【特許文献】
【０００３】
【特許文献１】特開平３−１１５６６号公報
【発明の概要】
【発明が解決しようとする課題】
【０００４】
しかしながら、特許文献１の構成では、全体としてＵ字状の折り返された湾曲弾性片の中に、曲げられた部分とストレート部分とが交互に配されており、曲げられた部分に応力が集中しやすくなっている。そのため、振動などによる応力を緩和しきれずに、緩和部における切断が発生したり、半田付けされた部分に割れが発生したりすることがある。
【課題を解決するための手段】
【０００５】
本明細書で開示される基板接続用端子は、相手側端子と接続される端子接続部と、基板に固定される固定部と、前記端子接続部と前記固定部とを繋ぐ繋ぎ部とを備える基板接続用端子において、前記繋ぎ部は、少なくとも１周同じ方向に連続する曲面からなる緩和部を有する。
【０００６】
このような構成によると、緩和部において応力が集中する場所がなくなり、緩和部全体で応力を吸収することができるため、緩和部における切断の発生及び固定部や端子接続部への振動の伝播を抑制することができる。
【０００７】
本明細書に開示される基板接続用端子の実施の態様として、以下の構成としてもよい。
前記緩和部が前記端子接続部と前記固定部とを結ぶ軸線からオフセットした位置から見て真円形状とされている構成としても良い。
このような構成では、緩和部において、真円形状をなしているため、曲率の変曲点がなくなるため、応力が変化する点がなくなる。そのため、真円形状全体で応力及び振動を緩和することができる。
【０００８】
また、前記繋ぎ部が等幅の板状である構成としても良い。
このような構成では、緩和部と繋ぎ部において、板幅の変化がなくなるため、応力の変化点がなくなる。
【０００９】
前記緩和部の始点と終点が前記端子接続部と前記固定部とを結ぶ軸線からオフセットした位置から見たときに高さ方向で揃うようになっている構成としても良い。
このような構成では、連続した曲面（真円形状）の始点と終点が揃うことになるため、繋ぎ部の端部の高さ方向の位置を揃えることができる。
【発明の効果】
【００１０】
本明細書に開示された基板接続用端子によれば、緩和部における切断及び振動の伝播を抑制することができる。
【図面の簡単な説明】
【００１１】
【図１】実施形態１に係る基板接続用端子の平面図
【図２】同側面図
【図３】実施形態２における緩和部の展開図
【図４】同側面図
【発明を実施するための形態】
【００１２】
＜実施形態１＞
本発明の実施形態１を図１及び図２によって説明する。
本実施形態における基板接続用端子１０は、図示しない回路基板に半田付けによって固定される雌端子である。基板接続用端子１０は、金属板を打ち抜いて折り曲げ成形することによって形成されており、角筒状に形成されて雄型の相手側端子が挿入される雌型の端子接続部２０と、基板に半田付けで固定される固定部３０と、この端子接続部２０と固定部３０とを繋ぐ繋ぎ部４０とを備えて構成されている。
以下、各構成部材において、上下方向については、図２を基準とする。また、前後方向については、図１の左側（端子接続部２０側）を前方とし、図１の右側（固定部３０側）を後方とし、左右方向については前方から見た状態を基準とする。
【００１３】
繋ぎ部４０は、図１に示すように、細長い平板状をなしており、緩和部５０と、緩和部５０より前方の前側連結部４３と、緩和部５０より後方の後側連結部４５と、拡幅部４１とを備えている。なお、前側連結部４３は、端子接続部２０との境界から始点５１までの領域を指し示し、後側連結部４５は、終点５３から後側連結部４５の後端４５Ａまでの領域を指し示す。そして、繋ぎ部４０は、固定部３０に繋がる拡幅部４１以外は、等幅であって、端子接続部２０の左右方向の幅寸法の略半分弱の幅寸法となっている。前側連結部４３は、端子接続部２０の後端部の左側の底板から連なって突出している。この際に、端子接続部２０と固定部３０を結ぶ軸線Ｌに対して若干の角度をつけて前側連結部４３は突出している。つまり、繋ぎ部４０は、端子接続部２０と固定部３０を結ぶ軸線Ｌに対して所定の角度を有して交差している。そして、繋ぎ部４０の前側連結部４３と拡幅部４１との略中央付近に緩和部５０が形成されている。
【００１４】
緩和部５０は、繋ぎ部４０の板材をらせん状に１周曲げることで形成され、１周同じ方向に連続した曲面からなっている。繋ぎ部４０が端子接続部２０と固定部３０を結ぶ軸線Ｌに対して若干の角度を有することで、緩和部５０をらせん状に曲げやすくなっている。そして、緩和部５０をらせん状に曲げているため、始点（曲げられ始める点）５１と終点（曲げられ終わる点）５３とが左右方向にずれ、板材と板材の間に若干の隙間が設けられており、横向き（左右方向）の応力が働いても、板材同士が重ならないようになっている。また、図２のように、右側方（図１の視点Ａの位置）から見ると、緩和部５０は真円形状とされている。そのため、視点Ａから見ると、緩和部５０の始点５１と終点５３とが高さ方向（上下方向）において一致している。このように、同一の曲率で同じ方向に連続して曲げられることで、同一の曲率の曲面からなる緩和部５０が形成されている。なお、視点Ａは、端子接続部２０と固定部３０とを結ぶ軸線Ｌからオフセットした位置、つまり軸線Ｌと直交しかつ緩和部５０を通る線上に設けられている。
【００１５】
そして、緩和部５０の後端（終点５３）からは後方に向かって繋ぎ部４０の後側連結部４５が延びている。なお、後側連結部４５の後端４５Ａの右端は、端子接続部２０の右端とほぼ揃っている。つまり、繋ぎ部４０は、端子接続部２０の左右方向の幅寸法Ｗ内で収まるようにされており、繋ぎ部４０が端子接続部２０と固定部３０とを結ぶ軸線Ｌに対して斜めに交差することで、基板接続用端子１０の左右方向の幅寸法が大きくなることがない。また、繋ぎ部４０の後側連結部４５の後側において、繋ぎ部４０が左側に拡幅することで、繋ぎ部４０の他の部分よりも幅広な拡幅部４１が形成されている。そして、拡幅部４１から後方に突出するように固定部３０が設けられている。このように拡幅部４１が幅広に形成されることで、固定部３０が基板接続用端子１０の幅寸法（端子接続部２０の幅寸法）の略中心位置から後方に突出することになる。そして、この固定部３０が基板に半田付けされて、固定されることになる。なお、拡幅部４１は他の繋ぎ部４０と幅が異なるが、緩和部５０から十分離れているために、振動の吸収に影響を与えることがない。
【００１６】
このように、端子接続部２０と固定部３０との間に緩和部５０が設けられている。そして、この緩和部５０が振動などを受けると受けた応力に応じて変形して応力を吸収することで、振動などが伝播するのを抑制することができる。また、緩和部５０が真円形状にされることで、一部に応力などが集中することなく、円全体で応力や振動を緩和することができる。そのため、端子接続部２０から伝わる振動が固定部３０の半田付けされた箇所に伝わって半田にクラックが発生するのを抑制することができ、固定部３０側からの振動が端子接続部２０に伝わって相手側端子との間で微摺動摩耗が発生するのを抑制することができる。
【００１７】
以上のように本実施形態によれば、緩和部５０において応力が集中する場所がなくなり、緩和部５０全体で応力を吸収することができるため、緩和部５０における切断の発生及び固定部３０や端子接続部２０への振動の伝播を抑制することができる。
【００１８】
また、緩和部５０が側方の視点Ａ（端子接続部２０と固定部３０とを結ぶ軸線Ｌからオフセットした位置）から見て真円形状とされている。
このような構成では、緩和部５０において、真円形状をなしているため、曲率の変曲点がなくなるため、応力が変化する点がなくなる。そのため、真円形状全体で応力及び振動を緩和することができる。
【００１９】
また、繋ぎ部４０が等幅の板状である。
このような構成では、緩和部５０と繋ぎ部４０において、板幅の変化がなくなるため、応力の変化点がなくなる。
【００２０】
また、緩和部５０の始点５１と終点５３が側方の視点Ａ（端子接続部２０と固定部３０とを結ぶ軸線Ｌからオフセットした位置）から見たときに高さ方向（上下方向）で揃うようになっている。
このような構成では、連続した曲面（真円形状）の始点５１と終点５３が揃うことになるため、繋ぎ部４０の前側連結部４３と拡幅部４１との高さ方向の位置を揃えることができる。
【００２１】
＜実施形態２＞
図３及び図４には、実施形態２の基板接続用端子の緩和部１５０の部分を示した。本実施形態では、繋ぎ部１４０のうち緩和部１５０の幅寸法が他の部分に比べて大きい。なお、本実施形態において、繋ぎ部１４０及び緩和部１５０以外の構成は、上記実施形態と同様であるから、図示及び説明を省略する。
【００２２】
本実施形態の構成によれば、図３に示すように、繋ぎ部１４０の前後方向の中央部分が幅広になっている。そして、図４に示すように、繋ぎ部１４０のうち幅広な部分が側方から見たときに円形状となるように曲げられて、同じ方向に連続した曲面からなる緩和部１５０が形成されている。この際に、緩和部１５０の始点１５１に比べると終点１５３の位置が若干下方向にずれることで、曲げられた板同士が重ならないようにされている。
【００２３】
このように構成することで、緩和部１５０は真円形状ではないが円形状に形成されている。そして、この緩和部５０が振動などを受けると受けた応力に応じて変形して応力を吸収することで、振動などが伝播するのを抑制することができる。緩和部１５０は実施形態１の緩和部５０よりも幅広に作られているため、広範囲に応力を分散することができ、応力が集中することなく、円形状全体で応力を受けることができる。
【００２４】
＜他の実施形態＞
本発明は上記記述及び図面によって説明した実施形態に限定されるものではなく、例えば次のような実施形態も本発明の技術的範囲に含まれる。
（１）上記実施形態１、２では、緩和部５０、１５０は板状部材を１周させることで、形成されていたが２周以上させていても良い。
【００２５】
（２）上記実施形態１、２では、緩和部５０、１５０は板状部材を１周させていたが、１周半させていても良いし、４分の５周させていても良い。なお、整数周以外の場合には、端子接続部２０と固定部３０の軸線が一直線に位置しない。例えば、緩和部５０、１５０の板状部材を４分の５周させると、端子接続部２０と固定部３０との軸線が略垂直に交差することになる。この場合の視点Ａは、端子接続部２０の左右方向（幅方向）の中心を通る軸線からオフセットした位置に設定することができる。
【００２６】
（３）上記実施形態１、２では、繋ぎ部４０は、らせん状に曲げやすくするために端子接続部２０から角度をつけて延びていたが、端子接続部２０と固定部３０とを結ぶ軸線Ｌに平行に真っ直ぐ延ばし、曲げる段階で重ならないように曲率を変化させて曲げても良い。
【００２７】
（４）上記実施形態１では、緩和部５０を真円形状とするために、同一の曲率で曲げられていたが、多少曲率が変化しても、その変化点に応力が集中しない程度の変化であれば、一定の範囲内で曲率が変化していても良い。
【符号の説明】
【００２８】
１０…基板接続用端子
２０…端子接続部
３０…固定部
４０、１４０…繋ぎ部
５０、１５０…緩和部
【図１】
2015204154.tif 000003
【図２】
2015204154.tif 000004
【図３】
2015204154.tif 000005
【図４】
2015204154.tif 000006